【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
黒板の色彩が、社団法人日本塗料工業会発行２００７年Ｄ版塗料用標準色見本帳記載の色票番号７２−６０Ｈでマンセル値２．５ＰＢ６／４の色彩、色票番号６９−６０Ｈでマンセル値１０Ｂ６／４の色彩、色票番号７２−６０Ｄでマンセル値２．５ＰＢ６／２の色彩、同２００９年Ｅ版塗料用標準色見本帳記載の色票番号７５−６０Ｄでマンセル値５ＰＢ６／２の色彩、色票番号６５−６０Ｄでマンセル値５ＰＢ６／２の色彩のうちのいずれかであることを特徴とする映写対応黒板。
【請求項２】
チョークで書いた線が黒板面から略１ｍ離れた位置から見て線にむらがなく、黒板面から略８ｍ離れた位置から見て線が鮮明に見えることを特徴とする、請求項１に記載の映写対応黒板。
【請求項３】
チョークで書いた線を黒板消しで拭き消し、黒板面から略１ｍ離れた位置から見て、黒板面に筆記跡及び消しむらがないことを特徴とする、請求項１又は２に記載の映写対応黒板。
【手続補正２】
【補正対象書類名】明細書
【補正対象項目名】全文
【補正方法】変更
【補正の内容】
【発明の詳細な説明】
【発明の名称】映写対応黒板
【技術分野】
【０００１】
本発明は、プロジェクターからの映写及び板書の兼用に好適な色彩の映写対応黒板に関するものである。
【背景技術】
【０００２】
学校では、プロジェクターを利用して映像をスクリーンに映写し、支持棒などで指し示しながら説明を行う授業が昔から行われており、それが学校での一般的なプロジェクターの使用方法であった。そして、スクリーンに、チョークやホワイトボードマーカーで文字などを書くことはなく、また、教室に設置されている従来の黒板に、映像を映写することはなかった。
【０００３】
普通教室で多く設置されている黒板は、チョークの粉が出るため、手の汚れや黒板消しなどの掃除が大変であるなど問題があるが、教室後方からでも板書が鮮明に見えやすい利点がある。また、黒板の緑色は、１９５４年頃のＪＩＳ  Ｓ６００７黒板規格制定時にそれまでの黒色から緑色に変わってから続いている色彩であるため、教室に馴染みのある色彩として認識されている。
【０００４】
しかるに近年では、電子黒板機能付プロジェクターが普及しており、電子黒板機能付プロジェクターからの映像を黒板に映写し、映写されている黒板上で電子黒板の操作を行っている。この方法は、授業の内容に合わせた写真や動画を映写しながら、板書を行うことができるため、生徒の理解力向上に繋がっている。また、テスト問題や資料などを映写することで、板書の時間短縮になり、授業時間を有効に活用できる。
【０００５】
しかし、従来の黒板に映写を行うと、ハレーションが発生し、映像の一部が白くぼやけて見えなくなり、また、映像が暗く、色彩が不鮮明となるため、従来の黒板に映写して使用するには問題がある。
【０００６】
映写する箇所に、マグネットスクリーンを貼付することで、ハレーションの発生や色彩の鮮明さの問題は解決できる。しかし、マグネットスクリーンを所定の位置に貼付する場合、シワや歪みが生じやすく、その場合は貼付のやり直しを余儀なくされ、綺麗に貼付するために手間と時間がかかるという問題がある。
【０００７】
そこで、従来の黒板と同様にチョークで板書ができ、且つ、ハレーションの発生を抑え、従来の黒板より鮮明な映像を映すことができる映写対応黒板が提案されている。また、電子黒板機能付プロジェクターの導入と同時に、従来の黒板を、映写対応黒板に取替える事例が増加している。
【０００８】
上記提案に係る従来の映写対応黒板は、従来の黒板より明度の高い淡い緑色のものが主流である。これはＪＩＳ  Ｓ６００７黒板規格に「色彩は、黒、緑又は受渡当事者間の協定による色」とあり、また、黒板＝緑色は常識となっているため、教室に違和感の無い緑系統の色彩になっていると思われる。そのため、映写対応黒板は、従来の黒板に映写した場合と比較して映像が鮮明に映るため、映写には優れているが、黒板の色彩が淡くなった分、従来の黒板と比較して、チョークの板書が見にくく感じるという問題がある。また、ＪＩＳ  Ｓ６００７黒板規格には、映写対応黒板についての規定はない。
【０００９】
科目や先生によっては電子黒板を使用しない授業もあり、その場合は当然板書中心となる。また、電子黒板を使用した授業であっても、電子黒板と板書を併用した授業展開となっているため、板書は授業にとって重要な要素となっている。そのため、板書が見えにくいという問題は、生徒の理解力を遅らせる原因となってしまう。
【００１０】
黒板は、緑色だけでなく、黒色やグレーなどの無彩色が提案されており、また、店頭看板などに使用される黒板では、赤や青などのカラフルな黒板もあるところから、従来の緑色以外の黒板を製造することは可能である。
【先行技術文献】
【特許文献】
【００１１】
【特許文献１】特許第４７７１８８０号
【発明の概要】
【発明が解決しようとする課題】
【００１２】
上述したように、従来の映写対応黒板の色彩については、種々の問題があった。
【００１３】
即ち、従来の映写対応黒板の色彩は、緑色が主流で、ＪＩＳ  Ｓ６００７黒板規格では、緑色及び黒色が明確な色彩として指定され、その色相及び明度及び彩度について規定されているが、その他の色彩については、受渡当事者間の協定による色とされていて、明度及び彩度が規定値内であれば、明確な色彩の指定はなく、また、映写対応黒板についての規定もない。
【００１４】
電子黒板機能付プロジェクターで従来の黒板に映写を行うと、ハレーションが発生し、映像の一部が白くぼやけて見えなくなり、また、映像が暗く、色彩が不鮮明であるため、映写面として使用するには問題がある。
【００１５】
従来の映写対応黒板は、映写には優れているが、教室後方からチョークの板書が見にくい問題があるため、映写と板書の兼用に好適な黒板の色彩とは言えない。
【００１６】
マグネットスクリーンを黒板の所定の位置に、綺麗に貼付するには、手間がかかる。また、マグネットスクリーンは、チョークでの筆記及び消去ができないため、チョークと比べ高価なホワイトボードマーカーを別途用意する必要があり、コストアップに繋がる。また、ホワイトボードマーカーはインク切れなどで、板書の文字が擦れて見えにくくなる問題がある。
【００１７】
特許文献１の発明は、製造技術に関するものであり、そこには、黒色系、灰色系、緑色系、茶色系、紺色系と大雑把な色彩についての提案はあるが、明確な色彩についての提案はない。そこで本発明は、映写及び板書に好適な色彩の映写対応黒板を提供することを課題とする。
【課題を解決するための手段】
【００１８】
上記課題を解決するための請求項１に記載の発明は、黒板の色彩が、社団法人日本塗料工業会発行２００７年Ｄ版塗料用標準色見本帳記載の色票番号７２−６０Ｈでマンセル値２．５ＰＢ６／４の色彩、色票番号６９−６０Ｈでマンセル値１０Ｂ６／４の色彩、色票番号７２−６０Ｄでマンセル値２．５ＰＢ６／２の色彩、同２００９年Ｅ版塗料用標準色見本帳記載の色票番号７５−６０Ｄでマンセル値５ＰＢ６／２の色彩、色票番号６５−６０Ｄでマンセル値５ＰＢ６／２の色彩のうちのいずれかであることを特徴とする映写対応黒板である。
【００１９】
一実施形態における映写対応黒板は、チョークで書いた線が黒板面から略１ｍ離れた位置から見て線にむらがなく、黒板面から略８ｍ離れた位置から見て線が鮮明に見えることを特徴とする。
【００２０】
また、一実施形態における映写対応黒板は、チョークで書いた線を黒板消しで拭き消し、黒板面から略１ｍ離れた位置から見て、黒板面に筆記跡及び消しむらがないことを特徴とする。
【００２１】
サンプル映写対応黒板のチョークの付きやすさ及び落ちやすさの比較を行うため、サンプル映写対応黒板にチョークで線を書き、黒板面から略１ｍ離れた位置から見て線にむらがないかを判定し、黒板面から略８ｍ離れた位置から見て線の鮮明さの判定及び比較を行い、書いた線をラーフルで消し、黒板面から略１ｍ離れた位置から見て筆記跡及び消しむらがないかを判定する。壁掛け設置した電子黒板機能付プロジェクターからの映像を、サンプル映写対応黒板及び既存の映写対応黒板に映写し、映像の鮮明さを比較する。チョークの付きやすさ及び落ちやすさと映像の鮮明さの検証結果から、好適な映写対応黒板の色彩を決定する。
【発明の効果】
【００２２】
本発明に係る映写対応黒板によれば、プロジェクターからの映像が鮮明に映り、板書された文字が教室後方からでも鮮明に見えるため、映写及び板書の兼用に好適な映写対応黒板が得られる効果がある。
【００２３】
また、チョークで板書を行うので、ホワイトボードマーカーのようなインク切れの心配がないため、授業の進行を妨げることがなく、ホワイトボードマーカーと比較して安価なチョークを使用するので、ランニングコストを抑えることができる効果がある。
【００２４】
そして更に、マグネットスクリーンを貼付する手間が不要となるため、準備時間の短縮に繋がるという効果がある。
【図面の簡単な説明】
【００２５】
【図１】チョークの付きやすさ及び落ちやすさを検証するために四角形を書いた状態の本発明に係る映写対応黒板を示す概略図である。
【図２】映像の鮮明さの検証実施状況を示す概略図である。
【発明を実施するための形態】
【００２６】
本発明を実施するための形態につき、添付図面に依拠して説明する。
【００２７】
以下の説明は、参考資料として、社団法人日本塗料工業会発行の２００７年Ｄ版塗料用標準色見本帳を使用し、映写対応黒板の色彩に適すると考えられる色彩の選択を行う。使用頻度の高い白色のチョークが鮮明に見える色彩、且つ、電子黒板機能付プロジェクター３から映写された映像４が鮮明に映る色彩であることを考慮する。チョークが鮮明に見えない淡い色彩及びチョークが鮮明に見える色彩であっても、赤色など教室の景観を損なう色彩及び映像４が鮮明に映らない暗い色彩は、除外する。
【００２８】
除外されず残った、社団法人日本塗料工業会発行  ２００７年Ｄ版  塗料用標準色見本帳に記載の色彩の中から、チョーク及び映像４が鮮明且つ教室の景観を損ねない色彩であることを考慮して、更に選択を行い、表１に示す色票番号７２−７０Ｄ、マンセル値２．５ＰＢ７／２の色彩と、色票番号７２−６０Ｈ、マンセル値２．５ＰＢ６／４の色彩と、色票番号４９−７０Ｂ、マンセル値１０Ｇ７／１の色彩とを選択した。
【表１】
2017024256.tif 000001
【００２９】
選択した色票番号７２−７０Ｄ、マンセル値２．５ＰＢ７／２の色彩と、色票番号７２−６０Ｈ、マンセル値２．５ＰＢ６／４の色彩と、色票番号４９−７０Ｂ、マンセル値１０Ｇ７／１の色彩の、Ｄ７２−７０Ｄサンプル映写対応黒板１Ａ、Ｄ７２−６０Ｈサンプル映写対応黒板１Ｂ及びＤ４９−７０Ｂサンプル映写対応黒板１Ｃをほうろう製映写対応黒板として製造した。
【００３０】
前記Ｄ７２−７０Ｄサンプル映写対応黒板１Ａ、Ｄ７２−６０Ｈサンプル映写対応黒板１Ｂ及びＤ４９−７０Ｂサンプル映写対応黒板１Ｃの、黒板面の光沢度、黒板面の表面粗さ、黒板面の耐光性、黒板面の付着性及び黒板面の防せい性は、ＪＩＳ  Ｓ６００７黒板規格に規定されている数値に準じていることが望ましく、鋼板メーカーからの品質成績証明書等で確認した。
【００３１】
前記Ｄ７２−７０Ｄサンプル映写対応黒板１Ａ、Ｄ７２−６０Ｈサンプル映写対応黒板１Ｂ及びＤ４９−７０Ｂサンプル映写対応黒板１Ｃの、黒板面のチョークの付きやすさ及び落ちやすさと電子黒板機能付プロジェクター３からの映像４の鮮明さについて比較及び検証を行った。黒板面のチョークの付きやすさ及び落ちやすさは、ＪＩＳ  Ｓ６００７黒板規格の規定に準じて評価を行った。
【００３２】
比較及び検証を行う試験環境は、ＪＩＳ  Ｚ８７０３試験場所の標準状態規格に規定されている常温及び常湿とし、教室及び黒板の照度は、下限値３００ｌｘ以上で、５００ｌｘ以上が望ましいとされているため、照度が５００ｌｘ以上の場所で行い、それらを測定できる機器を用いて計測を行った。
【００３３】
前記チョークは、ＪＩＳ  Ｓ６００９白墨規格に適合する白色を使用した。
【００３４】
黒板面のチョークの付きやすさは、チョークをＤ７２−７０Ｄサンプル映写対応黒板１Ａ、Ｄ７２−６０Ｈサンプル映写対応黒板１Ｂ及びＤ４９−７０Ｂサンプル映写対応黒板１Ｃの黒板面一面に軽くこすりつけ、黒板消しでよく拭き消した後、チョークで約５０ｍｍの四角形２を書き、Ｄ７２−７０Ｄサンプル映写対応黒板１Ａ、Ｄ７２−６０Ｈサンプル映写対応黒板１Ｂ及びＤ４９−７０Ｂサンプル映写対応黒板１Ｃの黒板面から略１ｍ離れた位置から見て、四角形２の線にむらがあるかを判定した。更にＤ７２−７０Ｄサンプル映写対応黒板１Ａ、Ｄ７２−６０Ｈサンプル映写対応黒板１Ｂ及びＤ４９−７０Ｂサンプル映写対応黒板１Ｃの黒板面から略８ｍ離れた位置から見て、四角形２の線が鮮明であるかを夫々判定し、線の鮮明さを比較した。
【００３５】
前記四角形２の線のむらは、Ｄ７２−７０Ｄサンプル映写対応黒板１Ａ、Ｄ７２−６０Ｈサンプル映写対応黒板１Ｂ及びＤ４９−７０Ｂサンプル映写対応黒板１Ｃの全てになく、良好であった。線の鮮明さは、全てのサンプル映写対応黒板共に鮮明であり良好であったが、Ｄ７２−６０Ｈサンプル映写対応黒板１Ｂがより鮮明であった。
【００３６】
黒板面のチョークの落ちやすさは、四角形２の線を黒板消しで拭き消し、Ｄ７２−７０Ｄサンプル映写対応黒板１Ａ、Ｄ７２−６０Ｈサンプル映写対応黒板１Ｂ及びＤ４９−７０Ｂサンプル映写対応黒板１Ｃの黒板面から略１ｍ離れた位置から見て、筆記跡及び消しむらがあるか否かの判定を行った。
【００３７】
筆記跡及び消しむらについては、Ｄ７２−７０Ｄサンプル映写対応黒板１Ａ、Ｄ７２−６０Ｈサンプル映写対応黒板１Ｂ及びＤ４９−７０Ｂサンプル映写対応黒板１Ｃのいずれにも確認できなかったため、チョークの落ちやすさは、全てのサンプル映写対応黒板共に良好であった。
【００３８】
電子黒板機能付プロジェクター３からの映像４の鮮明さについて、比較と検証を行った。電子黒板機能付プロジェクター３は、一般的な性能を有する３３００ｌｍのモデルを使用した。また、前記電子黒板機能付プロジェクター３は、壁掛け設置とし、画面などの各種調整を行った状態で比較と検証を行った。
【００３９】
壁掛け設置した電子黒板機能付プロジェクター３から映像４をＤ７２−７０Ｄサンプル映写対応黒板１Ａ、Ｄ７２−６０Ｈサンプル映写対応黒板１Ｂ及びＤ４９−７０Ｂサンプル映写対応黒板１Ｃ、並びに、既存の映写対応黒板５に映写し、映像４の鮮明さの比較と検証を行った。
【００４０】
Ｄ７２−７０Ｄサンプル映写対応黒板１Ａ、Ｄ７２−６０Ｈサンプル映写対応黒板１Ｂ及びＤ４９−７０Ｂサンプル映写対応黒板１Ｃの映像４の鮮明さは、Ｄ７２−７０Ｄサンプル映写対応黒板１Ａは、若干ではあるが映像４に暗さがあり、Ｄ４９−７０Ｂサンプル映写対応黒板１Ｃは、映像４の明るさが強く見えるため、どちらも長時間の視聴を行うと目が疲れてしまう。Ｄ７２−６０Ｈサンプル映写対応黒板１Ｂは、Ｄ７２−７０Ｄサンプル映写対応黒板１Ａ及びＤ４９−７０Ｂサンプル映写対応黒板１Ｃ、並びに、既存の映写対応黒板５と比較して、映像４の色彩の鮮明さ及び明るさ共に良好であった。
【００４１】
黒板面のチョークの付きやすさ及び落ちやすさと、映像の鮮明さの比較及び検証の結果から、Ｄ７２−６０Ｈサンプル映写対応黒板１Ｂが、最も好適な映写対応黒板の色彩であるとの結論となった。
【００４２】
Ｄ７２−６０Ｈサンプル映写対応黒板１Ｂは、明度及び彩度が、ＪＩＳ  Ｓ６００７黒板の規定値をクリアすることができないため、ＪＩＳ規格品とはならない。しかし、黒板の明度及び彩度を除く黒板面の光沢度、黒板面の表面粗さ、黒板面の耐光性、黒板面のチョークの付きやすさ、落ちやすさ、黒板面の付着性及び黒板面の防せい性は、ＪＩＳ  Ｓ６００７黒板規格に準ずる性能とすることが望ましい。
【００４３】
表２で示す色彩は、上記色票番号７２−６０Ｈと同系統の色彩である。そのため、それらの色彩を用いた映写対応黒板も、Ｄ７２−６０Ｈサンプル映写対応黒板１Ｂと同等の映像の鮮明さを有し、且つ、チョークの付きやすさ及び落ちやすさを有する映写対応黒板となり得る。従って、表２で示す色票番号の色彩の映写対応黒板も、本発明に包含される。なお、表２中の色票番号７５−６０Ｄと６５−６０Ｄの色彩は、２００９年発行のＥ版において追加された色彩である。
【表２】
2017024256.tif 000002
【００４４】
以上、学校の黒板について説明を行ってきたが、当然のことであるが、本発明に係る映写対応黒板は、学校の黒板のみならず、企業などにある脚付黒板や移動式黒板にも使用可能である。
【００４５】
上記説明においては、社団法人日本塗料工業会発行  ２００７年Ｄ版  塗料用標準色見本帳を参考に色彩の選択を行ったため、発行年記号をＤとしているが、表１及び表２記載の記載版としてもよい。
【符号の説明】
【００４６】
１Ａ    Ｄ７２−７０Ｄサンプル映写対応黒板
１Ｂ    Ｄ７２−６０Ｈサンプル映写対応黒板
１Ｃ    Ｄ４９−７０Ｂサンプル映写対応黒板
２      チョークで書いた四角形
３      電子黒板機能付プロジェクター
４      映像
５      既存の映写対応黒板
６      壁面